(57)【要約】【課題】  傾倒操作時に傾倒方向だけでなく傾倒角度の大小も検出できる多方向入力装置を提供すること。【解決手段】  多方向入力装置１０は、ハウジング１１と、傾倒可能に支持された操作体１５と、底面の略同一円周上の４箇所に押圧突起１６を突設した弾性支持部材１７と、積層構造の上部基板２０および下部基板１９とを備えており、上部基板２０に設けた４個の電極パターン２５が下部基板１９に設けた４個の抵抗体パターン２２と接離可能に対向している。上部基板２０には各電極パターン２５に隣接してスリット２６が形成されており、各電極パターン２５の上方に押圧突起１６が配置されている。操作体１５が傾倒操作されると、その傾倒量に応じて上部基板２０に対する押圧突起１６の押圧面積が変化するため、上部基板２０の撓む領域の相違によって両パターン２５，２２の接触面積が変化する。【選択図】  図１
2005209385.tif 000002
【特許請求の範囲】
【請求項１】
略同一円周上に配設された複数の検出素子と、これら検出素子から略等距離な位置を揺動中心として傾倒可能な操作体と、前記各検出素子と前記操作体との間に介設されて該検出素子を押圧駆動可能な複数の押圧突起とを備え、
前記検出素子が、いずれか一方がスリットを有する可撓性シートに設けられている抵抗体パターンと電極パターンとを間隙を介して接離可能に対向配置して構成されていると共に、前記押圧突起が、前記可撓性シート上の前記スリット近傍に配置されて前記操作体の傾倒量に応じて形状が変化する弾性材料からなり、
前記操作体の傾倒量に応じて前記可撓性シートに対する前記押圧突起の押圧面積が変化し、それに伴って前記抵抗体パターンと前記電極パターンとの接触面積が変化するように構成したことを特徴とする多方向入力装置。
【請求項２】
請求項１の記載において、前記抵抗体パターンと前記電極パターンがいずれも前記円周の接線方向を長手方向とする形状に形成されていて、かつ前記スリットが前記接線方向に沿って形成されていると共に、前記押圧突起が、前記接線方向を長手方向とし該接線方向に沿う切断面が略Ｖ字形または略Ｕ字形である中空形状に形成されていることを特徴とする多方向入力装置。
【請求項３】
請求項１または２の記載において、前記操作体を中立姿勢に支持する弾性支持部材を備え、該弾性支持部材に前記複数の押圧突起を一体形成したことを特徴とする多方向入力装置。
【請求項４】
請求項３の記載において、前記弾性支持部材を収納して上部開口から前記操作体の操作部を突出させたハウジングを備え、該ハウジングの内底面に前記各検出素子を載置すると共に、該ハウジングの内部空間を前記弾性支持部材を隔壁として前記上部開口側の空間と前記検出素子側の空間とに分離したことを特徴とする多方向入力装置。
【請求項５】
請求項１〜４のいずれか１項の記載において、前記可撓性シートに前記電極パターンが設けられていることを特徴とする多方向入力装置。
【発明の詳細な説明】
【技術分野】
【０００１】
本発明は、情報端末機器やゲーム機器等の入力操作に用いて好適な多方向入力装置に関する。
【背景技術】
【０００２】
従来より、この種の多方向入力装置として、操作体を所定方向へ傾倒させることにより、その傾倒方向に応じて異なるスイッチ素子が押圧駆動されるようにしたものが知られている（例えば、特許文献１参照）。
【０００３】
図１３はかかる従来の多方向入力装置を示す断面図、図１４は該多方向入力装置に備えられる押圧操作体の底面図である。図１３に示す多方向入力装置１は、ベース板２上の複数箇所に配設された押釦スイッチ等のスイッチ素子３と、これら複数のスイッチ素子３を選択的に押圧駆動するための押圧操作体４と、ベース板２上に載置されて押圧操作体４を支持している脚部５とを備えており、押圧操作体４と脚部５はゴム等の弾性材料からなる一体成形品である。ベース板２には図示せぬ回路パターンが形成されており、この回路パターンを介して各スイッチ素子３は外部回路と接続されている。これらスイッチ素子３は略同一円周上に等間隔に配設されており、この従来例では９０度間隔に４個のスイッチ素子３が配設されている。押圧操作体４の底面には各スイッチ素子３と対向する箇所にそれぞれ円柱状の凸部４ａが突設されており、脚部５には押圧操作体４の外周縁部に連結された薄肉部５ａが形成されている。
【０００４】
このように概略構成された多方向入力装置１は、図１３に示すように、押圧操作体４が非操作時に傾きのない中立姿勢に保持されているため、各凸部４ａはいずれもスイッチ素子３から離隔しており、よって全てのスイッチ素子３がオフに保たれている。この状態で、操作者が押圧操作体４の上面で任意の凸部４ａに対応する領域を下方へ押し込むと、該凸部４ａの近傍の薄肉部５ａが座屈して押圧操作体４が傾倒するため、該凸部４ａが対向するスイッチ素子３を押圧駆動してオフからオンへの切換えが行われる。したがって、どのスイッチ素子３がオンしたのかを検出することによって、操作時における押圧操作体４の傾倒方向を判定でき、それゆえ複数の傾倒方向に応じてそれぞれ異なる制御信号を外部回路に出力することが可能となる。また、押圧操作体４に対する操作力が除去されると、座屈していた薄肉部５ａが自身の弾性で元の形状に戻るため、押圧操作体４は傾倒姿勢から元の中立姿勢に自動的に復帰する。
【特許文献１】特開２００１−１８４９９９号公報（第２頁、図２）
【発明の開示】
【発明が解決しようとする課題】
【０００５】
ところで、最近は各種電子機器の多機能化や小型化が促進されているため、多方向入力装置においても一つの操作体で多種類の操作が行える構成のものが要望されている。しかしながら、前述した従来の多方向入力装置では、押圧操作体４の傾倒方向をスイッチ素子３によって検出するだけであり、傾倒方向の細分化は誤動作の要因ともなるため、必然的に、操作内容の種類をあまり増やすことはできなかった。
【０００６】
すなわち、従来の多方向入力装置では、押圧操作体４がどの方向へ傾倒操作されたのかを検出するだけであるが、例えば、押圧操作体４が浅く（弱く）傾倒操作されたのか深く（強く）傾倒操作されたのかを判定できれば、傾倒方向のみを検出する場合に比べて、検出可能な操作内容の種類を倍増することができる。その結果、カーソルの移動速度や地図情報の倍率等を変化させることのできる多機能な多方向入力装置が得られる。
【０００７】
本発明は、このような従来技術の実情に鑑みてなされたもので、その目的は、傾倒操作時に傾倒方向だけでなく傾倒角度の大小も検出できる多方向入力装置を提供することにある。
【課題を解決するための手段】
【０００８】
上述した目的を達成するため、本発明の多方向入力装置では、略同一円周上に配設された複数の検出素子と、これら検出素子から略等距離な位置を揺動中心として傾倒可能な操作体と、前記各検出素子と前記操作体との間に介設されて該検出素子を押圧駆動可能な複数の押圧突起とを備え、前記検出素子が、いずれか一方がスリットを有する可撓性シートに設けられている抵抗体パターンと電極パターンとを間隙を介して接離可能に対向配置して構成されていると共に、前記押圧突起が、前記可撓性シート上の前記スリット近傍に配置されて前記操作体の傾倒量に応じて形状が変化する弾性材料からなり、前記操作体の傾倒量に応じて前記可撓性シートに対する前記押圧突起の押圧面積が変化し、それに伴って前記抵抗体パターンと前記電極パターンとの接触面積が変化するように構成した。
【０００９】
このように構成された多方向入力装置は、操作体を傾倒操作することにより、その方向に位置する検出素子を対応する押圧突起によって押圧駆動することができるため、傾倒方向が検出可能である。つまり、操作体の傾倒方向に位置する検出素子は、可撓性シートのスリット近傍が押圧突起に押し込まれて撓むため、抵抗体パターンと電極パターンとが接触して該抵抗体パターンの両端間の抵抗値が低下するが、操作体の傾倒方向に位置しない検出素子は、抵抗体パターンと電極パターンとが離隔しているため、該抵抗体パターンの両端間の抵抗値が最大となっている。
【００１０】
そして、操作体が所定方向へ傾倒操作されたとき、その傾倒角度が小さければ、可撓性シートに対する押圧突起の押圧面積は小さいので、該可撓性シートのスリット近傍は局所的に撓むことになり、それゆえ抵抗体パターンと電極パターンとの接触面積は小さく、該抵抗体パターンの両端間の抵抗値の低下は小となる。しかるに、操作体の傾倒角度が大きければ、押圧突起が座屈等により大きく弾性変形するため、可撓性シートに対する押圧面積が大きくなって、該可撓性シートのスリット近傍はやや広い領域で撓むことになり、それゆえ抵抗体パターンと電極パターンとの接触面積は増大し、該抵抗体パターンの両端間の抵抗値の低下は大となる。したがって、検出素子の出力値として抵抗体パターンの両端間の電圧等を測定することにより、操作体の傾倒方向だけでなく傾倒角度の大小も検出することが可能となる。
【００１１】
上記の構成において、前記抵抗体パターンと前記電極パターンがいずれも前記円周の接線方向を長手方向とする形状に形成されていて、かつ前記スリットが前記接線方向に沿って形成されていると共に、前記押圧突起が、前記接線方向を長手方向とし該接線方向に沿う切断面が略Ｖ字形または略Ｕ字形である中空形状に形成されていれば、複数の検出素子や複数の押圧突起の配置スペースを大径化する必要がなく、かつ、操作体を深く（強く）傾倒操作したときには可撓性シートに対する押圧突起の押圧面積を著しく増大させることができるため、小型化が容易となり信頼性の向上も図れる。
【００１２】
また、上記の構成において、前記操作体を中立姿勢に支持する弾性支持部材を備え、該弾性支持部材に前記複数の押圧突起を一体形成しておけば、弾性支持部材が傾倒姿勢の操作体を中立姿勢へ自動復帰させる復帰手段として機能し、この弾性支持部材と複数の押圧突起とが一体品となるため、部品点数が少なくなって好ましい。この場合において、前記弾性支持部材を収納して上部開口から前記操作体の操作部を突出させたハウジングを備え、該ハウジングの内底面に前記各検出素子を載置すると共に、該ハウジングの内部空間を前記弾性支持部材を隔壁として前記上部開口側の空間と前記検出素子側の空間とに分離しておけば、該上部開口から塵埃等が侵入しても検出素子に悪影響を及ぼす虞がなくなるため、信頼性の向上が図れる。
【００１３】
また、上記の構成において、前記押圧突起に押圧駆動される前記可撓性シートには前記電極パターンと前記抵抗体パターンのいずれか一方を設ければ良いが、該可撓性シートに電極パターンを設けることが高信頼性や長寿命化の点で好ましい。
【発明の効果】
【００１４】
本発明の多方向入力装置は、操作体の傾倒角度の大小に応じて可撓性シートに対する押圧突起の押圧面積が増減し、それに伴って可撓性シートのスリット近傍の撓み方が変化して抵抗体パターンと電極パターンとの接触面積が増減するため、各検出素子の出力値に基づいて、操作体の傾倒方向だけでなく傾倒角度の大小も検出することができる。すなわち、操作体がどの方向へ傾倒操作されたのかだけでなく、操作体が浅く（弱く）傾倒操作されたのか深く（強く）傾倒操作されたのかをも検出できるため、一つの操作体で多種類の操作を簡単かつ正確に行うことができ、多機能な多方向入力装置が実現できる。
【発明を実施するための最良の形態】
【００１５】
発明の実施の形態を図面を参照して説明すると、図１は本発明の実施形態例に係る多方向入力装置の分解斜視図、図２は該入力装置の平面図、図３は該入力装置の側面図、図４は該入力装置を構成する押圧突起付き弾性支持部材を示す斜視図、図５は該弾性支持部材の底面図、図６は図５のＡ−Ａ線断面に沿って見た押圧突起を非操作時の検出素子と共に示す要部断面図、図７は該弾性支持部材の側面図、図８は該入力装置を構成するフレキシブル積層基板の上部基板を示す平面図、図９は該フレキシブル積層基板の下部基板を示す平面図、図１０は該入力装置の非操作時の断面図、図１１は該入力装置の傾倒量大操作時の断面図、図１２は図１１に示す座屈状態の押圧突起を異なる切断面で見たときの要部断面図である。
【００１６】
これらの図に示す多方向入力装置１０は、カバー部材１２とスペーサリング１３および枠状ケース１４とからなるハウジング１１と、傾倒可能に支持された操作体１５と、底面の４箇所に押圧突起１６を突設した弾性支持部材１７と、下部基板１９上に上部基板２０を積層して積層部１８ａとなしたフレキシブル積層基板１８と、円椀頂部２１ａ上に操作体１５を搭載して揺動自在に支持する支柱２１とによって主に構成されている。この多方向入力装置１０は、操作体１５の操作つまみ（操作部）１５ａを除く部分と、押圧突起１６を含む弾性支持部材１７と、フレキシブル積層基板１８の積層部１８ａの大部分と、支柱２１の大部分とが、ハウジング１１の内部に収納されており、積層部１８ａのうち各押圧突起１６と対向する４箇所が検出素子として機能するようになっている。
【００１７】
各部の詳細な構成について説明すると、カバー部材１２は中心孔１２ａと一対の外向き突片１２ｂとを有する略円板状部材であり、スペーサリング１３は一対の外向き突起１３ａを有する環状部材である。カバー部材１２は弾性支持部材１７の鍔部１７ａを介してスペーサリング１３上に搭載されている。枠状ケース１４は、フレキシブル積層基板１８の積層部１８ａを載置する底板部１４ａと、スペーサリング１３を包囲する環状壁１４ｂと、カバー部材１２を配置させる上部開口１４ｃとを有し、環状壁１４ｂに設けた一対の凹状切欠き１４ｄ内に外向き突片１２ｂと外向き突起１３ａを挿入することによって、枠状ケース１４に対するカバー部材１２とスペーサリング１３の位置決めがなされている。枠状ケース１４の上部開口１４ｃの周囲には複数の係止片１４ｅが突設されており、これらの係止片１４ｅを内方へ折り曲げることによってカバー部材１２はかしめ固定されている。また、枠状ケース１４の底板部１４ａの中央部には嵌合孔１４ｆが形成されており、この嵌合孔１４ｆに支柱２１の下端部を圧入することによって、底板部１４ａ上に支柱２１が立設されている。
【００１８】
操作体１５には操作つまみ１５ａが突設されており、この操作つまみ１５ａはドーム形状の膨出部１５ｂの中心部から上向きに延びている。この膨出部１５ｂは支柱２１の円椀頂部２１ａ上に搭載されているため、膨出部１５ｂを円椀頂部２１ａ上で摺動させることにより、操作体１５は任意方向へ傾倒可能（揺動可能）である。ただし、操作体１５の外周縁部は弾性支持部材１７によって径方向に位置規制されるため、操作体１５の揺動中心は弾性支持部材１７の中心線上に設定される。なお、操作体１５の操作つまみ１５ａはカバー部材１２の中心孔１２ａを貫通して上方へ突出している。
【００１９】
弾性支持部材１７はゴム等の弾性材料からなり、各押圧突起１６は弾性支持部材１７に一体形成されている。弾性支持部材１７の中心部には円筒部１７ｂが下向きに突設されており、この円筒部１７ｂ内に支柱２１が挿通されている。弾性支持部材１７の外周部には一対の係合片１７ｃを有する環状の鍔部１７ａが形成されており、各係合片１７ｃを枠状ケース１４の凹状切欠き１４ｄ内に挿入し、鍔部１７ａをカバー部材１２とスペーサリング１３とで挟持することにより、弾性支持部材１７の外周部は位置決め状態で固定されている。そして、この弾性支持部材１７を隔壁としてハウジング１１の内部空間が上部開口１４ｃ側の空間と積層部１８ａ側の空間とに分離されているため、中心孔１２ａから塵埃等が侵入しても検出素子に悪影響を及ぼさないようになっている（図１０参照）。この弾性支持部材１７は、操作体１５を中立姿勢に支持すると共に、操作体１５の傾倒操作時に弾性変形するようになっている（図１１参照）。
【００２０】
弾性支持部材１７の底面に下向きに突設された４本の押圧突起１６は、略同一円周上の９０度ずつ離れた等間隔な位置に形成されている。図４および図５に示すように、これらの押圧突起１６はいずれも同形状で、前記円周の接線方向を長手方向とし該接線方向に沿う切断面が略Ｖ字形である中空形状に形成されている。そして、操作体１５が任意の押圧突起１６の存する方向へ大きく傾倒操作されると、図１１に示すように、その方向に位置する押圧突起１６が座屈して大きく弾性変形するようになっている。ただし、操作体１５の傾倒角度が小さいときには、押圧突起１６が座屈することはない。
【００２１】
フレキシブル積層基板１８の下部基板１９には、ハウジング１１の外方へ突出する帯状の延出部１９ａが設けられている。図９に示すように、この下部基板１９は、可撓性シートの片面にカーボン等からなる４個の抵抗体パターン２２と、各抵抗体パターン２２から引き廻されたリードパターン２３と、延出部１９ａの端部に露出する端子部２４とを配設したものである。また、図８に示すように、フレキシブル積層基板１８の上部基板２０は可撓性シートの片面に銀等からなる４個の電極パターン２５を配設したものであり、この上部基板２０には各電極パターン２５を挟むように長手方向に沿って延びる計８本のスリット２６が形成されている。各抵抗体パターン２２は略同一円周上の９０度ずつ離れた等間隔な位置に形成されており、各抵抗体パターン２２と対向する位置にそれぞれ電極パターン２５が形成されている。また、図示はしていないが、下部基板１９と上部基板２０の対向面にはそれぞれ、抵抗体パターン２２や電極パターン２５を除く領域に厚膜のレジスト層が形成されており、これらのレジスト層をスペーサとして、各電極パターン２５が各抵抗体パターン２２と接離可能に対向している。
【００２２】
そして、積層部１８ａ上の各電極パターン２５と対応する位置にそれぞれ押圧突起１６が配置されるため、操作体１５が傾倒操作されると、その方向に位置する押圧突起１６が下方の上部基板２０を押し込んでこれを撓ませ、撓んだ領域に形成されている電極パターン２５が対向する抵抗体パターン２２と接触するようになっている。つまり、上部基板２０は押圧突起１６の下方が電極パターン２５の形成領域となっており、かつ、該領域は２本のスリット２６に挟まれて比較的撓みやすくなっているため、任意の押圧突起１６に傾倒操作力が付与されると、その下方で上部基板２０が押し撓められて電極パターン２５を抵抗体パターン２２に接触させることができる。ただし、上部基板２０に対する押圧突起１６の押圧面積は該押圧突起１６が座屈しているか否かによって異なるので、電極パターン２５と抵抗体パターン２２との接触面積は操作体１５の傾倒量に応じて異なったものとなる。したがって、該接触面積の相違を電気的に検出することにより、操作体１５の傾倒角度の大小が検出可能となる。つまり、フレキシブル積層基板１８の積層部１８ａは、４本の押圧突起１６と対向する４箇所を、操作体１５の傾倒方向および傾倒量を検出する検出素子として機能させることができる。
【００２３】
次に、このように構成された多方向入力装置１０の動作について説明すると、非操作時には図１０に示すように、操作体１５は支柱２１および弾性支持部材１７によって傾きのない中立姿勢に保持されており、各押圧突起１６は上部基板２０を押し撓めることなく積層部１８ａ上に搭載されている。そのため、図６に実線で示すように、各電極パターン２５はいずれも対向する抵抗体パターン２２から離隔しており、よって各抵抗体パターン２２の両端間の抵抗値は最大となっている。
【００２４】
この状態で操作者が操作つまみ１５ａを押圧操作し、弾性支持部材１７を弾性変形させながら操作体１５を傾倒させると、傾倒方向に位置する押圧突起１６がその下方の上部基板２０を押し込む。こうして押圧突起１６に押し込まれる上部基板２０の被押圧領域は、２本のスリット２６に挟まれており撓みやすくなっているため、該押圧突起１６の下方において上部基板２０が押し撓められ、そこに形成されている電極パターン２５が対向する抵抗体パターン２２に接触し、該抵抗体パターン２２の両端間の抵抗値が低下する。したがって、端子部２４に接続される外部回路によって各抵抗体パターン２２の両端間の電圧等を測定し、どの抵抗体パターン２２の両端間の抵抗値が低下したのかを検出することにより、操作時における操作体１５の傾倒方向を判定できる。
【００２５】
また、この多方向入力装置１０は、前述したように操作体１５の傾倒角度の大小を検出することもできる。すなわち、操作体１５が所定方向へ傾倒操作されたとき、操作力が弱くて操作体１５の傾倒角度が小さければ、押圧突起１６は座屈することなく上部基板２０を押し撓める。このように操作体１５が浅く（弱く）傾倒操作された場合には、図６に鎖線で示すように、上部基板２０に対する押圧突起１６の押圧面積は小さいので、上部基板２０は局所的に撓むことになり、それゆえ該押圧突起１６の下方に位置する電極パターン２５と抵抗体パターン２２との接触面積は小さく、該抵抗体パターン２２の両端間の抵抗値の低下は小となる。この場合、操作体１５に対する操作力が除去されると、弾性支持部材１７が自身の弾性で元の形状に戻るため、操作体１５は浅い傾倒姿勢から元の中立姿勢に自動的に復帰する。
【００２６】
これに対して、操作力が強くて操作体１５の傾倒角度が大きいと、押圧突起１６が座屈するので、図１１と図１２に示すように、底面積の増大した押圧突起１６が上部基板２０を押し撓める。このように操作体１５が深く（強く）傾倒操作された場合には、上部基板２０に対する押圧突起１６の押圧面積が増大するため、上部基板２０はやや広い領域で撓むことになり、それゆえ該押圧突起１６の下方に位置する電極パターン２５と抵抗体パターン２２との接触面積が増大し、該抵抗体パターン２２の両端間の抵抗値の低下は大となる。この場合、操作体１５に対する操作力が除去されると、弾性支持部材１７および押圧突起１６が自身の弾性で元の形状に戻るため、操作体１５は深い傾倒姿勢から元の中立姿勢に自動的に復帰する。
【００２７】
このように本実施形態例に係る多方向入力装置１０は、操作体１５の傾倒量に応じて電極パターン２５と抵抗体パターン２２との接触面積が著しく変化するように構成されているので、端子部２４に接続される外部回路によって各抵抗体パターン２２の両端間の電圧等を測定し、どの抵抗体パターン２２の両端間の抵抗値がどの程度低下したのかを検出することにより、操作体１５の傾倒方向だけでなく傾倒角度の大小も判定することができる。つまり、一つの操作体１５で多種類の操作を簡単かつ正確に行うことができるため、この多方向入力装置１０は多機能化が実現されている。
【００２８】
また、この多方向入力装置１０では、略同一円周上に配設されている各抵抗体パターン２２や各電極パターン２５がいずれも該円周の接線方向を長手方向とする形状に形成されており、各スリット２６も該接線方向に沿って形成されており、さらに各押圧突起１６も該接線方向を長手方向とし該接線方向に沿う切断面が略Ｖ字形である中空形状に形成されている。これにより、各検出素子（抵抗体パターン２２や電極パターン２５）の配置スペースや、各押圧突起１６の配置スペースを大径化する必要がなくなるため、装置全体の小型化が図りやすくなっている。しかも、操作体１５を深く（強く）傾倒操作して押圧突起１６を座屈させたときには、上部基板２０に対する押圧突起１６の押圧面積を著しく増大させることができるため、信頼性の向上も図れる。なお、接線方向に沿う各押圧突起１６の断面形状が略Ｖ字形でなく略Ｕ字形であっても、同等の効果が得られる。
【００２９】
なお、本実施形態例では、下部基板１９側に抵抗体パターン２２を設け、押圧突起１６に押し撓められる上部基板２０側に電極パターン２５を設けているが、これを逆にした構成であっても、同じように動作させることはできる。ただし、本実施形態例のような構成にしたほうが、高信頼性や長寿命化が期待できるため好ましい。
【００３０】
また、操作体１５の中央部に下向きに延びる支軸を突設し、該支軸の先端部を揺動支点として操作体１５を傾倒可能に支持すれば、支柱２１や嵌合孔１４ｆを省略した構成にすることも可能である。
【図面の簡単な説明】
【００３１】
【図１】本発明の実施形態例に係る多方向入力装置の分解斜視図である。
【図２】該入力装置の平面図である。
【図３】該入力装置の側面図である。
【図４】該入力装置を構成する押圧突起付き弾性支持部材を示す斜視図である。
【図５】該弾性支持部材の底面図である。
【図６】図５のＡ−Ａ線断面に沿って見た押圧突起を非操作時の検出素子と共に示す要部断面図である。
【図７】該弾性支持部材の側面図である。
【図８】該入力装置を構成するフレキシブル積層基板の上部基板を示す平面図である。
【図９】該フレキシブル積層基板の下部基板を示す平面図である。
【図１０】該入力装置の非操作時の断面図である。
【図１１】該入力装置の傾倒量大操作時の断面図である。
【図１２】図１１に示す座屈状態の押圧突起を異なる切断面で見たときの要部断面図である。
【図１３】従来例を示す断面図である。
【図１４】該従来例における押圧操作体の底面図である。
【符号の説明】
【００３２】
１０  多方向入力装置
１１  ハウジング
１２  カバー部材
１３  スペーサリング
１４  枠状ケース
１４ｃ  上部開口
１５  操作体
１５ａ  操作つまみ（操作部）
１６  押圧突起
１７  弾性支持部材
１８  フレキシブル積層基板
１８ａ  積層部
１９  下部基板
２０  上部基板
２１  支柱
２２  抵抗体パターン
２５  電極パターン
２６  スリット
【図１】
2005209385.tif 000003
【図２】
2005209385.tif 000004
【図３】
2005209385.tif 000005
【図４】
2005209385.tif 000006
【図５】
2005209385.tif 000007
【図６】
2005209385.tif 000008
【図７】
2005209385.tif 000009
【図８】
2005209385.tif 000010
【図９】
2005209385.tif 000011
【図１０】
2005209385.tif 000012
【図１１】
2005209385.tif 000013
【図１２】
2005209385.tif 000014
【図１３】
2005209385.tif 000015
【図１４】
2005209385.tif 000016